(57)【要約】【課題】カバー部材の取り外しが簡単に行え、取付片を壁面に取り付けるためのボルトの緩みを定期的に点検することができる手摺用ブラケットを提供すること。【解決手段】壁面に取り付けるための取付片、同取付片に連結片を介して上方に延びる笠木支持片とから成るブラケット本体及び前記取付片に被せられるカバー部材とから構成される手摺用ブラケットにおいて、前記取付片の下端部を壁面との間に隙間が空くように延長してカバー部材の底板に形成された孔が嵌合できる嵌合片を形成し、取付片の側面上方にはカバー部材の両側板の内面に形成された係止突起が嵌合できる係止凹部を形成すると共に、取付片の正面にはカバー部材の内部に形成された当接片を下方から支持するための段部を形成したことを特徴とする。【選択図】        図４
2004162500.tif 000002
【特許請求の範囲】
【請求項１】
壁面に取り付けるための取付片、同取付片に連結片を介して上方に延びる笠木支持片とから成るブラケット本体及び前記取付片に被せられるカバー部材とから構成される手摺用ブラケットにおいて、前記取付片の下端部を壁面との間に隙間が空くように延長してカバー部材の底板に形成された孔が嵌合できる嵌合片を形成し、取付片の側面上方にはカバー部材の両側板の内面に形成された係止突起が嵌合できる係止凹部を形成すると共に、取付片の正面にはカバー部材の内部に形成された当接片を下方から支持するための段部を形成したことを特徴とする手摺用ブラケット。
【発明の詳細な説明】
【０００１】
【発明の属する技術分野】
本発明は、手摺用ブラケット本体に壁面に取り付けるためのボルト等の頭部を隠すためのカバー部材をワンタッチで取り付け、且つ、面倒な作業をすることなくカバー部材を取り外すことができる手摺用ブラケットに関するものである。
【０００２】
【従来の技術】
従来から、手摺用ブラケット本体に壁面に取り付けるためのボルト等の頭部を隠すためのカバー部材をワンタッチで取り付けることができる手摺用ブラケットとして、特許第３０５９３１５号公報に記載されるようなものがある。
【０００３】
【発明が解決しようとする課題】
然しながら、この公報に記載されるような構造の手摺用ブラケットにあっては、連結片の下面に形成された係止部にカバー部材のフック部を弾発係止させるものであったため、係止状態が強固であり、一旦カバー部材をブラケット本体に装着すると、取り外すことは困難であって、無理に取り外そうとするとフック部が損傷するという問題点があり、取付片を壁面に取り付けるためのアンカーボルトの緩みを定期的に点検することはできないという問題点があった。
【０００４】
【発明の目的】
本発明は、上記問題点を解決するために、カバー部材の取り外しが簡単に行え、取付片を壁面に取り付けるためのボルトの緩みを定期的に点検することができる手摺用ブラケットを提供するものである。
【０００５】
【課題を解決するための手段】
本発明に係る手摺用ブラケットは、壁面に取り付けるための取付片、同取付片に連結片を介して上方に延びる笠木支持片とから成るブラケット本体及び前記取付片に被せられるカバー部材とから構成される手摺用ブラケットにおいて、前記取付片の下端部を壁面との間に隙間が空くように延長してカバー部材の底板に形成された孔が嵌合できる嵌合片を形成し、取付片の側面上方にはカバー部材の両側板の内面に形成された係止突起が嵌合できる係止凹部を形成すると共に、取付片の正面にはカバー部材の内部に形成された当接片を下方から支持するための段部を形成したことを特徴とするものである。
【０００６】
【発明の作用】
取付片の下端部にある嵌合片にカバー部材の底板の孔を嵌合してその儘持ち上げ、当接片を取付片の段部に載せるようにしてカバー部材の係止突起を取付片の係止凹部に嵌合させることによってカバー部材のブラケット本体への装着が完了する。
【０００７】
【発明の実施の形態】
本発明手摺用ブラケットの実施の形態を実施例について具体的に説明する。
【０００８】
【実施例】
図１は、本発明を構成するブラケット本体の斜視図、図２は、本発明を構成するカバー部材の斜視図、図３は、カバー部材のブラケット本体への装着状態を表わす斜視図、図４は、カバー部材をブラケット本体へ装着した状態の縦断側面図である。
【０００９】
１は、本発明手摺用ブラケットを構成するブラケット本体であって、取付孔１ａに挿通されるアンカーボルトＢによって壁面Ｗに取り付けられる取付片１１、及び同取付片に連結片１２を介して上方に延びる笠木支持片１３とから構成されている。
【００１０】
上記ブラケット本体１の取付片１１の下端部には壁面Ｗとの間に隙間が空くように延長して後述するカバー部材の底板に形成された孔が嵌合できる嵌合片１１ａが形成され、同取付片１１の上方の両側面には後述するカバー部材の両側板の内面に形成された係止突起が嵌合できる係止凹部１１ｂ、１１ｂが形成され、更に、取付片１１の正面には後述するカバー部材の内部に形成された当接片を下方から支持するための段部１１ｃが形成されている。
【００１１】
２は、同じく本発明手摺用ブラケットを構成する上面及び背面が開放するカバー部材であって、前記取付片１１の正面を隠す正面板２１、取付片１１の下方部分を隠す底板２２及び取付片１１の両側面を挟み付ける側板２３、２３とから構成されている。
【００１２】
上記カバー部材２の底板２２には前記取付片１１下端の嵌合片１１ａに嵌合できる矩形状の孔２２ａが形成され、同カバー部材２の両側板２３、２３の内面には取付片１１の側面上方に形成された係止凹部１１ｂ、１１ｂに嵌合する係止突起２３ａ、２３ａが形成され、カバー部材２の内部で正面板２１と両側板２２、２２で囲まれる部分には装着時に前記取付片１１の正面に当接してカバー部材２の壁面方向への移動を阻止し、且つ、取付片１１の正面に形成された段部１１ｃに支持されて下方への移動を阻止するための当接片２４が形成されている。
【００１３】
尚、本実施例のブラケット本体１においては取付片１１の上端に連結片１２よりも上方に延びる突片１ｂを形成してあるが、その作用は次の通りである。
【００１４】
図４の手摺の使用状態において、笠木を壁面方向に押した時に、この突片１ｂの上端を支点として回転力が生じるが、突片１ｂがない場合よりもアンカーボルト迄の距離を大きくすることができるので、アンカーボルトＢを壁面から引き抜こうとする力を弱くすることができ、アンカーボルトの緩みを少なくすることができるもので、突片１ｂの長さが長い程その効果は大きいものである。
【００１５】
次に、本発明ブラケットの具体的用法を図示する実施例に基づいて詳細に説明する。
【００１６】
先ず、ブラケット本体１の取付片１１を取付孔１ａに挿通されるアンカーボルトＢによって壁面Ｗに取り付ける。
【００１７】
ブラケット本体１を壁面Ｗに上述のように取り付けた後、カバー部材２を握って底板２２の孔２２ａをブラケット本体下端の嵌合片１１ａに嵌合させ、当接片２４をブラケット本体１の段部１１ｃの上を乗り越えるようにして壁面Ｗ方向に押し込む。
【００１８】
上記手順でカバー部材２を壁面Ｗ方向に押し込むと、カバー部材２の両側板２３、２３の内面に形成された係止突起２３ａ、２３ａがブラケット本体１の係止凹部１１ｂ、１１ｂに嵌合してカバー部材２は図４のようにブラケット本体１に装着され、本発明ブラケットの取り付けが完了する。
【００１９】
ブラケットの取り付けが完了した後は笠木支持片１３に芯金を介して笠木Ｋを装着して手摺の取り付けが完了する。
【００２０】
アンカーボルトＢの緩みを点検したい場合には、カバー部材２の両側板２３、２３を両手で持って左右に広げるようにして手前に引くと、係止突起２３ａ、２３ａがブラケット本体１の係止凹部１１ｂ、１１ｂから外れ、手前に傾斜した状態になるので、その儘下に引き下げることによってカバー部材２は簡単にブラケット本体１から分離することができ、点検終了後は前述の作業によってカバー部材をブラケット本体に装着できるものである。
【００２１】
【発明の効果】
以上述べた如く、本発明に係る手摺用ブラケットによれば、壁面に取り付けるための取付片、同取付片に連結片を介して上方に延びる笠木支持片とから成るブラケット本体及び前記取付片に被せられるカバー部材とから構成される手摺用ブラケットにおいて、前記取付片の下端部を壁面との間に隙間が空くように延長してカバー部材の底板に形成された孔が嵌合できる嵌合片を形成し、取付片の側面上方にはカバー部材の両側板の内面に形成された係止突起が嵌合できる係止凹部を形成すると共に、取付片の正面にはカバー部材の内部に形成された当接片を下方から支持するための段部を形成したもので、カバー部材をブラケット本体に装着する手段として係止突起による係止凹部への嵌合係止手段を採用してあるため、従来公知のフック部による弾発係止手段と異なり、係止解除が簡単に行え、頻繁にカバー部材を取り外しても何等損傷することがないものであり、ブラケット本体の取付用アンカーボルトの緩みの点検を極めて簡単に行えるようになったもので、実用的価値は高いものである。
【図面の簡単な説明】
【図１】本発明を構成するブラケット本体の斜視図である。
【図２】本発明を構成するカバー部材の斜視図である。
【図３】カバー部材のブラケット本体への装着状態を表わす斜視図である。
【図４】カバー部材をブラケット本体へ装着した状態の縦断側面図である。
【符号の説明】
１          ブラケット本体
１１        取付片
１２        連結片
１３        笠木支持片
２          カバー部材
２１        正面板
２２        底板
２３        側板
【図１】
2004162500.tif 000003
【図２】
2004162500.tif 000004
【図３】
2004162500.tif 000005
【図４】
2004162500.tif 000006